(57)【要約】【課題】一つのボックス固定具で、貫通孔の間隔の異なる二種類のボックスに対応することができる、ボックス固定具を提供する。【解決手段】ボックス固定具３は、底壁２ａに一対の貫通孔２ｂ、２ｂが形成されたボックス２を棒状部材１に固定するために、棒状部材１への固定部４と、一対の貫通孔２ｂ、２ｂのうち一の貫通孔２ｂに通される螺着部材１１が螺着される螺着部５と、一対の貫通孔２ｂ、２ｂのうち他の貫通孔２ｂに挿入されてその貫通孔２ｂに係合する係止爪６とを備える。ここで、異なる間隔の一対の貫通孔２ｂ、２ｂに選択的に対応できるよう、係止爪６として、第１係止爪６ａと第２係止爪６ｂとが設けられ、それら第１係止爪６ａと第２係止爪６ｂとのそれぞれが、貫通孔２ｂに挿入される第１位置と底壁２ａから控える第２位置とに変位可能となっている。【選択図】  図４
2020085113.tif 000002
【特許請求の範囲】
【請求項１】
底壁に一対の貫通孔が形成された有底箱状のボックスを棒状部材に固定するためのボックス固定具であって、
前記棒状部材への固定部を備え、かつ、
ボックス固定具自身を前記底壁の背面に固定すべく、前記一対の貫通孔のうち一の貫通孔に通される螺着部材が螺着される螺着部と、前記一対の貫通孔のうち他の貫通孔に前記底壁の背面側から挿入されてその貫通孔に係合する係止爪とを備え、また、
前記一対の貫通孔としての一対の第１貫通孔と、その一対の第１貫通孔の間隔よりも大きい間隔を成す前記一対の貫通孔としての一対の第２貫通孔とに選択的に対応すべく、前記一対の第１貫通孔のうち他の貫通孔に挿入される前記係止爪としての第１係止爪が設けられるとともに、前記一対の第２貫通孔のうち他の貫通孔に挿入される前記係止爪としての第２係止爪が、前記第１係止爪よりも前記螺着部から離れる側に延びる延設部の先端側に設けられ、
前記第１係止爪と前記第２係止爪とのそれぞれが、前記一対の貫通孔のうち他の貫通孔に挿入される第１位置と前記底壁から控える第２位置とに変位可能である、ボックス固定具。
【請求項２】
前記延設部には、前記第１係止爪の変位を許容する空隙を備えた開口部が形成され、
前記第１係止爪は、その塑性変形により、前記第１位置と前記第２位置とに変位し、
前記第２係止爪は、前記延設部の塑性変形により、前記第１位置と前記第２位置とに前記延設部とともに変位する、請求項１に記載のボックス固定具。
【請求項３】
前記延設部は、前記底壁の背面に沿うことができるように直状に延び、前記第１係止爪は、前記第２位置に位置し、前記第２係止爪は、前記第１位置に位置し、
前記開口部に差し入れられ、前記第１係止爪と、前記第２係止爪または前記開口部の周縁とに宛がわれて、前記第１係止爪が前記第１位置側に、前記第２係止爪が前記第２位置側に向かうよう、回動操作される工具によって、前記第１係止爪が前記第１位置に変位するとともに、前記第２係止爪が前記第２位置に変位する、請求項２に記載のボックス固定具。
【請求項４】
前記棒状部材は、前記底壁の背面に沿うとともに、前記螺着部と前記第１係止爪および前記第２係止爪との、前記底壁の背面に沿った並び方向に対し、交差する方向を向き、
前記固定部は、前記棒状部材の外面を、前記底壁側に押圧する押圧部からなって、その押圧部は、前記螺着部と前記第１係止爪との間に設けられる、請求項１ないし３のいずれか１項に記載のボックス固定具。
【請求項５】
前記押圧部として、第１押圧部と第２押圧部とが、前記並び方向において、ずれた位置に設けられる、請求項４に記載のボックス固定具。
【請求項６】
前記第１押圧部は、前記並び方向において、前記螺着部と前記第１係止爪との間の中心位置に設けられ、
前記第２押圧部は、前記並び方向において、前記螺着部と前記第２係止爪との間の中心位置に設けられる、請求項５に記載のボックス固定具。
【請求項７】
底壁に一対の貫通孔が形成された有底箱状のボックスを棒状部材に固定するためのボックス固定具であって、
前記棒状部材への固定部を備え、かつ、
ボックス固定具自身を前記底壁の背面に固定すべく、前記一対の貫通孔のうち一の貫通孔に通される螺着部材が螺着される螺着部と、前記一対の貫通孔のうち他の貫通孔に前記底壁の背面側から挿入されてその貫通孔に係合する係止爪とを備え、
前記棒状部材は、前記底壁の背面に沿うとともに、前記螺着部と前記係止爪との、前記底壁の背面に沿った並び方向に対し、交差する方向を向き、
異なる間隔の前記一対の貫通孔に選択的に対応すべく、前記螺着部として、第１螺着部と第２螺着部とが、前記並び方向において、ずれた位置に設けられ、
前記固定部は、前記棒状部材の外面を、前記底壁側に押圧する押圧部からなり、
前記押圧部としての第１押圧部が、前記並び方向において、前記第１螺着部と前記係止爪との間の中心位置に設けられ、前記押圧部としての第２押圧部が、前記並び方向において、前記第２螺着部と前記係止爪との間の中心位置に設けられる、ボックス固定具。
【請求項８】
底壁に一対の貫通孔が形成された有底箱状のボックスを棒状部材に固定するためのボックス固定具であって、
前記棒状部材への固定部を備え、かつ、
ボックス固定具自身を前記底壁の背面に固定すべく、前記一対の貫通孔のうち一の貫通孔に通される螺着部材が螺着される螺着部と、前記一対の貫通孔のうち他の貫通孔に前記底壁の背面側から挿入されてその貫通孔に係合する係止爪とを備え、
前記棒状部材は、前記底壁の背面に沿うとともに、前記螺着部と前記係止爪との、前記底壁の背面に沿った並び方向に対し、交差する方向を向き、
異なる間隔の前記一対の貫通孔に選択的に対応すべく、前記係止爪として、第１係止爪と第２係止爪とが、前記並び方向において、ずれた位置に設けられ、
前記固定部は、前記棒状部材の外面を、前記底壁側に押圧する押圧部からなり、
前記押圧部としての第１押圧部が、前記並び方向において、前記螺着部と前記第１係止爪との間の中心位置に設けられ、前記押圧部としての第２押圧部が、前記並び方向において、前記螺着部と前記第２係止爪との間の中心位置に設けられる、ボックス固定具。
【請求項９】
底壁に一対の貫通孔が形成された有底箱状のボックスを棒状部材に固定するためのボックス固定具であって、
前記棒状部材への固定部を備え、かつ、
ボックス固定具自身を前記底壁の背面に固定すべく、前記一対の貫通孔のうち一の貫通孔に通される螺着部材が螺着される螺着部と、前記一対の貫通孔のうち他の貫通孔に前記底壁の背面側から挿入されてその貫通孔に係合する係止爪とを備え、
前記棒状部材は、前記底壁の背面に沿うとともに、前記螺着部と前記係止爪との、前記底壁の背面に沿った並び方向に対し、交差する方向を向き、
異なる間隔の前記一対の貫通孔に選択的に対応すべく、前記螺着部および／または前記係止爪は、二つ設けられるとともに、その二つは、前記並び方向において、ずれた位置に設けられ、
前記固定部は、前記棒状部材の外面を、前記底壁側に押圧する押圧部からなり、
前記押圧部としての第１押圧部が、前記並び方向において、前記螺着部と前記係止爪のうちの最も近接した螺着部と係止爪との間の中心位置からずれた位置に設けられ、
前記押圧部としての第２押圧部が、前記並び方向において、前記第１押圧部とは異なる位置に設けられる、ボックス固定具。
【請求項１０】
底壁に一対の貫通孔が形成された有底箱状のボックスを棒状部材に固定するためのボックス固定具であって、
前記棒状部材への固定部を備え、かつ、
ボックス固定具自身を前記底壁の背面に固定すべく、前記一対の貫通孔のうち一の貫通孔に通される螺着部材が螺着される螺着部と、前記一対の貫通孔のうち他の貫通孔に前記底壁の背面側から挿入されてその貫通孔に係合する係止爪とを備え、
前記棒状部材は、前記底壁の背面に沿うとともに、前記螺着部と前記係止爪との、前記底壁の背面に沿った並び方向に対し、交差する方向を向き、
異なる間隔の前記一対の貫通孔に選択的に対応すべく、前記螺着部として、第１螺着部と第２螺着部とが、前記並び方向において、ずれた位置に設けられるとともに、前記係止爪として、第１係止爪と第２係止爪とが、前記並び方向において、ずれた位置に設けられ、
前記固定部は、前記棒状部材の外面を、前記底壁側に押圧する押圧部からなり、
前記押圧部が、前記並び方向において、前記第１螺着部と前記第１係止爪との間の中心位置にあり、かつ、前記並び方向において、前記第２螺着部と前記第２係止爪との間の中心位置にあるように、前記第１および第２螺着部と、前記第１および第２係止爪とが位置する、ボックス固定具。
【発明の詳細な説明】
【技術分野】
【０００１】
この発明は、有底箱状のボックスを棒状部材に固定するためのボックス固定具に関するものである。
【背景技術】
【０００２】
従来、配線ボックスを吊りボルト等の棒状部材に固定するためのボックス固定具があった（例えば、特許文献１、２参照）。このボックス固定具は、配線ボックスの底壁に設けられた一対の貫通孔に対し、一方の貫通孔に係合する係合爪と、他方の貫通孔に挿入されたビスが螺合するビス孔とを備えて、それら係合爪とビスとで、配線ボックスに取り付けられた。
【先行技術文献】
【特許文献】
【０００３】
【特許文献１】特開２０１２−７０４７５号公報
【特許文献２】実開平５−９５１３０号公報
【発明の概要】
【発明が解決しようとする課題】
【０００４】
しかし、配線ボックス（ボックス）には、一対の貫通孔の間隔が異なるものが存在していた。このため、前記従来のボックス固定具においては、配線ボックス（ボックス）の一対の貫通孔のそれぞれの間隔に対応して、ボックス固定具を複数用意する必要があった。
【０００５】
この発明は、上記した従来の欠点を解決するためになされたものであり、その目的とするところは、一つのボックス固定具で、貫通孔の間隔の異なる二種類のボックスに対応することができる、ボックス固定具を提供することにある。
【課題を解決するための手段】
【０００６】
この発明に係るボックス固定具は、前記目的を達成するために、次の構成からなる。すなわち、
請求項１に記載の発明に係るボックス固定具は、底壁に一対の貫通孔が形成された有底箱状のボックスを棒状部材に固定するためのボックス固定具である。このボックス固定具は、前記棒状部材への固定部を備える。そして、このボックス固定具は、ボックス固定具自身を前記底壁の背面に固定すべく、前記一対の貫通孔のうち一の貫通孔に通される螺着部材が螺着される螺着部と、前記一対の貫通孔のうち他の貫通孔に前記底壁の背面側から挿入されてその貫通孔に係合する係止爪とを備える。ここで、前記一対の貫通孔としての一対の第１貫通孔と、その一対の第１貫通孔の間隔よりも大きい間隔を成す前記一対の貫通孔としての一対の第２貫通孔とに選択的に対応すべく、前記一対の第１貫通孔のうち他の貫通孔に挿入される前記係止爪としての第１係止爪が設けられるとともに、前記一対の第２貫通孔のうち他の貫通孔に挿入される前記係止爪としての第２係止爪が、前記第１係止爪よりも前記螺着部から離れる側に延びる延設部の先端側に設けられる。そこで、前記第１係止爪と前記第２係止爪とのそれぞれが、前記一対の貫通孔のうち他の貫通孔に挿入される第１位置と前記底壁から控える第２位置とに変位可能である。
【０００７】
このボックス固定具によると、ボックス固定具は、固定部を備えており、その固定部によって、棒状部材に固定される。そして、ボックス固定具は、ボックスの底壁に設けられた一対の貫通孔に対応した、螺着部と係止爪とを備えており、それら螺着部と係止爪とで、ボックス固定具自身が、ボックスの底壁の背面に固定される。こうして、ボックスは、固定部と螺着部および係止爪とを備えるボックス固定具を介して、棒状部材に固定される。ここで、係止爪として、第１係止爪と第２係止爪とが設けられる。そこで、ボックスの一対の貫通孔としての一対の第１貫通孔の、一の貫通孔と他の貫通孔に対し、螺着部と第１係止爪とをそれぞれ対応させることで、ボックス固定具をボックスに固定して、そのボックスを棒状部材に固定することができる。そして、別のボックスの、前記一対の第１貫通孔の間隔よりも大きい間隔を成す一対の貫通孔としての一対の第２貫通孔の、一の貫通孔と他の貫通孔に対し、螺着部と第２係止爪とをそれぞれ対応させることで、ボックス固定具を別のボックスに固定して、その別のボックスを棒状部材に固定することができる。ここにおいて、前記第１係止爪と前記第２係止爪とのそれぞれが、一対の貫通孔のうち他の貫通孔に挿入される第１位置と前記底壁から控える第２位置とに変位可能であることから、ボックス固定具をボックスに固定するにあたって、使用しない係止爪をボックスの底壁から控える第２位置に位置させることで、その係止爪が固定の邪魔をすることがない。
【０００８】
また、請求項２に記載の発明に係るボックス固定具は、請求項１に記載のボックス固定具において、前記延設部には、前記第１係止爪の変位を許容する空隙を備えた開口部が形成される。そして、前記第１係止爪は、その塑性変形により、前記第１位置と前記第２位置とに変位する。一方、前記第２係止爪は、前記延設部の塑性変形により、前記第１位置と前記第２位置とに前記延設部とともに変位する。
【０００９】
また、請求項３に記載の発明に係るボックス固定具は、請求項２に記載のボックス固定具において、前記延設部は、前記底壁の背面に沿うことができるように直状に延び、前記第１係止爪は、前記第２位置に位置し、前記第２係止爪は、前記第１位置に位置する。そこで、前記開口部に差し入れられ、前記第１係止爪と、前記第２係止爪または前記開口部の周縁とに宛がわれて、前記第１係止爪が前記第１位置側に、前記第２係止爪が前記第２位置側に向かうよう、回動操作される工具によって、前記第１係止爪が前記第１位置に変位するとともに、前記第２係止爪が前記第２位置に変位する。
【００１０】
また、請求項４に記載の発明に係るボックス固定具は、請求項１ないし３のいずれか１項に記載のボックス固定具において、前記棒状部材は、前記底壁の背面に沿うとともに、前記螺着部と前記第１係止爪および前記第２係止爪との、前記底壁の背面に沿った並び方向に対し、交差する方向を向く。そして、前記固定部は、前記棒状部材の外面を、前記底壁側に押圧する押圧部からなって、その押圧部は、前記螺着部と前記第１係止爪との間に設けられる。
【００１１】
また、請求項５に記載の発明に係るボックス固定具は、請求項４に記載のボックス固定具において、前記押圧部として、第１押圧部と第２押圧部とが、前記並び方向において、ずれた位置に設けられる。押圧部として、第１押圧部と第２押圧部とが設けられることで、状況に応じて、第１押圧部と第２押圧部とを使い分けて、棒状部材に対するボックスの位置を変えることができる。
【００１２】
また、請求項６に記載の発明に係るボックス固定具は、請求項５に記載のボックス固定具において、前記第１押圧部は、前記並び方向において、前記螺着部と前記第１係止爪との間の中心位置に設けられる。そして、前記第２押圧部は、前記並び方向において、前記螺着部と前記第２係止爪との間の中心位置に設けられる。これにより、第１係止爪を用いる場合には、第１押圧部を用い、第２係止爪を用いる場合には、第２押圧部を用いることで、螺着部と係止爪との中心位置、つまりは、ボックスにおける一対の貫通孔の中心位置に、棒状部材を位置させることができる。
【００１３】
また、請求項７に記載の発明に係るボックス固定具は、底壁に一対の貫通孔が形成された有底箱状のボックスを棒状部材に固定するためのボックス固定具である。このボックス固定具は、前記棒状部材への固定部を備える。そして、このボックス固定具は、ボックス固定具自身を前記底壁の背面に固定すべく、前記一対の貫通孔のうち一の貫通孔に通される螺着部材が螺着される螺着部と、前記一対の貫通孔のうち他の貫通孔に前記底壁の背面側から挿入されてその貫通孔に係合する係止爪とを備える。ここにおいて、前記棒状部材は、前記底壁の背面に沿うとともに、前記螺着部と前記係止爪との、前記底壁の背面に沿った並び方向に対し、交差する方向を向く。そして、異なる間隔の前記一対の貫通孔に選択的に対応すべく、前記螺着部として、第１螺着部と第２螺着部とが、前記並び方向において、ずれた位置に設けられる。また、前記固定部は、前記棒状部材の外面を、前記底壁側に押圧する押圧部からなる。そこで、前記押圧部としての第１押圧部が、前記並び方向において、前記第１螺着部と前記係止爪との間の中心位置に設けられ、前記押圧部としての第２押圧部が、前記並び方向において、前記第２螺着部と係止爪との間の中心位置に設けられる。
【００１４】
このボックス固定具によると、ボックス固定具は、押圧部からなる固定部を備えており、その固定部によって、棒状部材に固定される。そして、ボックス固定具は、ボックスの底壁に設けられた一対の貫通孔に対応した、螺着部と係止爪とを備えており、それら螺着部と係止爪とで、ボックス固定具自身が、ボックスの底壁の背面に固定される。こうして、ボックスは、固定部と螺着部および係止爪とを備えるボックス固定具を介して、棒状部材に固定される。ここで、螺着部として、第１螺着部と第２螺着部とが設けられている。そこで、ボックスの一対の貫通孔の、一の貫通孔と他の貫通孔に対し、第１螺着部と係止爪とをそれぞれ対応させることで、ボックス固定具をボックスに固定して、そのボックスを棒状部材に固定することができる。そして、別のボックスの、異なる間隔を成す一対の貫通孔の、一の貫通孔と他の貫通孔に対し、第２螺着部と係止爪とをそれぞれ対応させることで、ボックス固定具を別のボックスに固定して、その別のボックスを棒状部材に固定することができる。ここにおいて、押圧部としての第１押圧部が、第１螺着部と係止爪との間の中心位置に設けられ、押圧部としての第２押圧部が、第２螺着部と係止爪との間の中心位置に設けられている。このため、第１螺着部を用いる場合には、第１押圧部を用い、第２螺着部を用いる場合には、第２押圧部を用いることで、螺着部と係止爪との中心位置、つまりは、ボックスにおける一対の貫通孔の中心位置に、棒状部材を位置させることができる。
【００１５】
また、請求項８に記載の発明に係るボックス固定具は、底壁に一対の貫通孔が形成された有底箱状のボックスを棒状部材に固定するためのボックス固定具である。このボックス固定具は、前記棒状部材への固定部を備える。そして、このボックス固定具は、ボックス固定具自身を前記底壁の背面に固定すべく、前記一対の貫通孔のうち一の貫通孔に通される螺着部材が螺着される螺着部と、前記一対の貫通孔のうち他の貫通孔に前記底壁の背面側から挿入されてその貫通孔に係合する係止爪とを備える。ここにおいて、前記棒状部材は、前記底壁の背面に沿うとともに、前記螺着部と前記係止爪との、前記底壁の背面に沿った並び方向に対し、交差する方向を向く。そして、異なる間隔の前記一対の貫通孔に選択的に対応すべく、前記係止爪として、第１係止爪と第２係止爪とが、前記並び方向において、ずれた位置に設けられる。また、前記固定部は、前記棒状部材の外面を、前記底壁側に押圧する押圧部からなる。そこで、前記押圧部としての第１押圧部が、前記並び方向において、前記螺着部と前記第１係止爪との間の中心位置に設けられ、前記押圧部としての第２押圧部が、前記並び方向において、前記螺着部と前記第２係止爪との間の中心位置に設けられる。
【００１６】
このボックス固定具によると、ボックス固定具は、押圧部からなる固定部を備えており、その固定部によって、棒状部材に固定される。そして、ボックス固定具は、ボックスの底壁に設けられた一対の貫通孔に対応した、螺着部と係止爪とを備えており、それら螺着部と係止爪とで、ボックス固定具自身が、ボックスの底壁の背面に固定される。こうして、ボックスは、固定部と螺着部および係止爪とを備えるボックス固定具を介して、棒状部材に固定される。ここで、係止爪として、第１係止爪と第２係止爪とが設けられている。そこで、ボックスの一対の貫通孔の、一の貫通孔と他の貫通孔に対し、螺着部と第１係止爪とをそれぞれ対応させることで、ボックス固定具をボックスに固定して、そのボックスを棒状部材に固定することができる。そして、別のボックスの、異なる間隔を成す一対の貫通孔の、一の貫通孔と他の貫通孔に対し、螺着部と第２係止爪とをそれぞれ対応させることで、ボックス固定具を別のボックスに固定して、その別のボックスを棒状部材に固定することができる。ここにおいて、押圧部としての第１押圧部が、螺着部と第１係止爪との間の中心位置に設けられ、押圧部としての第２押圧部が、螺着部と第２係止爪との間の中心位置に設けられている。このため、第１係止爪を用いる場合には、第１押圧部を用い、第２係止爪を用いる場合には、第２押圧部を用いることで、螺着部と係止爪との中心位置、つまりは、ボックスにおける一対の貫通孔の中心位置に、棒状部材を位置させることができる。
【００１７】
また、請求項９に記載の発明に係るボックス固定具は、底壁に一対の貫通孔が形成された有底箱状のボックスを棒状部材に固定するためのボックス固定具である。このボックス固定具は、前記棒状部材への固定部を備える。そして、このボックス固定具は、ボックス固定具自身を前記底壁の背面に固定すべく、前記一対の貫通孔のうち一の貫通孔に通される螺着部材が螺着される螺着部と、前記一対の貫通孔のうち他の貫通孔に前記底壁の背面側から挿入されてその貫通孔に係合する係止爪とを備える。ここにおいて、前記棒状部材は、前記底壁の背面に沿うとともに、前記螺着部と前記係止爪との、前記底壁の背面に沿った並び方向に対し、交差する方向を向く。そして、異なる間隔の前記一対の貫通孔に選択的に対応すべく、前記螺着部および／または前記係止爪は、二つ設けられるとともに、その二つは、前記並び方向において、ずれた位置に設けられる。また、前記固定部は、前記棒状部材の外面を、前記底壁側に押圧する押圧部からなる。そこで、前記押圧部としての第１押圧部が、前記並び方向において、前記螺着部と前記係止爪のうちの最も近接した螺着部と係止爪との間の中心位置からずれた位置に設けられる。そして、前記押圧部としての第２押圧部が、前記並び方向において、前記第１押圧部とは異なる位置に設けられる。
【００１８】
このボックス固定具によると、ボックス固定具は、押圧部からなる固定部を備えており、その固定部によって、棒状部材に固定される。そして、ボックス固定具は、ボックスの底壁に設けられた一対の貫通孔に対応した、螺着部と係止爪とを備えており、それら螺着部と係止爪とで、ボックス固定具自身が、ボックスの底壁の背面に固定される。こうして、ボックスは、固定部と螺着部および係止爪とを備えるボックス固定具を介して、棒状部材に固定される。ここで、螺着部および／または係止爪は、二つ設けられている。そこで、ボックスの異なる間隔の一対の貫通孔の、一の貫通孔と他の貫通孔に対し、螺着部と係止爪とを適宜選択してそれぞれ対応させることで、ボックス固定具をボックスに固定して、そのボックスを棒状部材に固定することができる。そして、押圧部として、第１押圧部と第２押圧部が設けられており、状況に応じて、第１押圧部と第２押圧部とを使い分けて、棒状部材に対するボックスの位置を変えることができる。
【００１９】
また、請求項１０に記載の発明に係るボックス固定具は、底壁に一対の貫通孔が形成された有底箱状のボックスを棒状部材に固定するためのボックス固定具である。このボックス固定具は、前記棒状部材への固定部を備える。そして、このボックス固定具は、ボックス固定具自身を前記底壁の背面に固定すべく、前記一対の貫通孔のうち一の貫通孔に通される螺着部材が螺着される螺着部と、前記一対の貫通孔のうち他の貫通孔に前記底壁の背面側から挿入されてその貫通孔に係合する係止爪とを備える。ここにおいて、前記棒状部材は、前記底壁の背面に沿うとともに、前記螺着部と前記係止爪との、前記底壁の背面に沿った並び方向に対し、交差する方向を向く。そして、異なる間隔の前記一対の貫通孔に選択的に対応すべく、前記螺着部として、第１螺着部と第２螺着部とが、前記並び方向において、ずれた位置に設けられるとともに、前記係止爪として、第１係止爪と第２係止爪とが、前記並び方向において、ずれた位置に設けられる。また、前記固定部は、前記棒状部材の外面を、前記底壁側に押圧する押圧部からなる。ここで、前記押圧部が、前記並び方向において、前記第１螺着部と前記第１係止爪との間の中心位置にあり、かつ、前記並び方向において、前記第２螺着部と前記第２係止爪との間の中心位置にあるように、前記第１および第２螺着部と、前記第１および第２係止爪とが位置する。
【００２０】
このボックス固定具によると、ボックス固定具は、押圧部からなる固定部を備えており、その固定部によって、棒状部材に固定される。そして、ボックス固定具は、ボックスの底壁に設けられた一対の貫通孔に対応した、螺着部と係止爪とを備えており、それら螺着部と係止爪とで、ボックス固定具自身が、ボックスの底壁の背面に固定される。こうして、ボックスは、固定部と螺着部および係止爪とを備えるボックス固定具を介して、棒状部材に固定される。ここで、螺着部として、第１螺着部と第２螺着部とが設けられ、係止爪として、第１係止爪と第２係止爪とが設けられている。そこで、ボックスの異なる間隔の一対の貫通孔の、一の貫通孔と他の貫通孔に対し、螺着部と係止爪とを適宜選択してそれぞれ対応させることで、ボックス固定具をボックスに固定して、そのボックスを棒状部材に固定することができる。ここにおいて、押圧部が、第１螺着部と第１係止爪との間の中心位置にあり、かつ、第２螺着部と第２係止爪との間の中心位置にあるように、第１および第２螺着部と、第１および第２係止爪とが位置する。このため、第１螺着部と第１係止爪とを用いたり、第２螺着部と第２係止爪とを用いたりすることで、螺着部と係止爪との中心位置、つまりは、ボックスにおける一対の貫通孔の中心位置に、棒状部材を位置させることができる。
【発明の効果】
【００２１】
この発明に係るボックス固定具によれば、次の効果がある。
【００２２】
請求項１〜６、および８に記載されたボックス固定具によれば、螺着部と係止爪において、係止爪を二つ設けて、その二つのうち、いずれか一方を適宜選択して用いることで、一つのボックス固定具で、貫通孔の間隔の異なる二種類のボックスに対応することができる。
【００２３】
また、請求項７に記載されたボックス固定具によれば、螺着部と係止爪において、螺着部を二つ設けて、その二つのうち、いずれか一方を適宜選択して用いることで、一つのボックス固定具で、貫通孔の間隔の異なる二種類のボックスに対応することができる。
【００２４】
また、請求項９に記載されたボックス固定具によれば、螺着部と係止爪において、螺着部および／または係止爪を二つ設けて、その二つのうち、いずれか一方を適宜選択して用いることで、一つのボックス固定具で、貫通孔の間隔の異なる二種類あるいは二種類以上のボックスに対応することができる。
【００２５】
また、請求項１０に記載されたボックス固定具によれば、螺着部と係止爪において、螺着部および係止爪を二つ設けて、その二つのうち、いずれか一方を適宜選択して用いることで、一つのボックス固定具で、貫通孔の間隔の異なる二種類以上のボックスに対応することができる。
【図面の簡単な説明】
【００２６】
【図１】この発明の第一の実施の形態の、ボックス固定具を示す図であって、（ａ）は、斜め上からの斜視図、（ｂ）は、斜め下からの斜視図である。
【図２】同じく、ボックス固定具を示す図であって、（ａ）は、平面図、（ｂ）は、（ａ）におけるＡ−Ａ線による断面図である。
【図３】同じく、第１係止爪と第２係止爪とを、工具を用いて変位させる手順を示す断面図である。
【図４】同じく、ボックス固定具を用いて、ボックスを棒状部材に固定した状態を示す断面図であって、（ａ）は、一対の貫通孔の間隔が小であるボックスに適用した例を示し、（ｂ）は、一対の貫通孔の間隔が大であるボックスに適用した例を示す。
【図５】この発明の第二の実施の形態の、ボックス固定具を用いて、ボックスを棒状部材に固定した状態を示す断面図であって、図４に相当し、（ａ）は、一対の貫通孔の間隔が小であるボックスに適用した例を示し、（ｂ）は、一対の貫通孔の間隔が大であるボックスに適用した例を示す。
【図６】この発明の第三の実施の形態の、ボックス固定具を用いて、ボックスを棒状部材に固定した状態を示す断面図であって、（ａ）は、一対の貫通孔の間隔が小であるボックスに適用した例を示し、（ｂ）は、一対の貫通孔の間隔が大であるボックスに適用した例を示す。
【図７】この発明の第四の実施の形態の、ボックス固定具を用いて、ボックスを棒状部材に固定した状態を示す断面図であって、（ａ）は、一対の貫通孔の間隔が小であるボックスに適用した例を示し、（ｂ）は、一対の貫通孔の間隔が大であるボックスに適用した例を示す。
【図８】この発明の他の実施の形態の、図１の（ａ）相当図である。
【図９】同じく、図２の（ｂ）相当図である。
【図１０】この発明のさらに他の実施の形態の、ボックス固定具を用いて、ボックスを棒状部材に固定した状態を示す断面図であって、（ａ）は、一対の貫通孔の間隔が小であるボックスに適用した例を示し、（ｂ）は、一対の貫通孔の間隔が大であるボックスに適用した例を示す。
【発明を実施するための形態】
【００２７】
以下、この発明に係るボックス固定具を実施するための形態を図面に基づいて説明する。
【００２８】
図１〜図４は、本発明の第一の実施の形態を示す。図中符号１は、棒状部材を示し、この棒状部材１は、例えば、吊りボルトとか、コンクリートに埋設される鉄筋とかからなる。２は、有底箱状のボックスを示し、このボックス２は、例えば、配線ボックスとか、配管ボックス、その他のボックスからなり、そのボックス２の底壁２ａには、一対の貫通孔２ｂ、２ｂが形成されている。３は、前記ボックス２を前記棒状部材１に固定するためのボックス固定具を示す。
【００２９】
このボックス固定具３は、棒状部材１への固定部４を備える。そして、ボックス固定具３は、ボックス固定具自身をボックス２の底壁２ａの背面に固定すべく、底壁２ａに形成された一対の貫通孔２ｂ、２ｂのうち一の貫通孔２ｂに通される螺着部材１１が螺着される螺着部５と、一対の貫通孔２ｂ、２ｂのうち他の貫通孔２ｂに底壁２ａの背面側から挿入されてその貫通孔２ｂに係合する係止爪６とを備える。
【００３０】
棒状部材１は、ボックス２の底壁２ａの背面に沿うとともに、螺着部５と係止爪６（図示実施の形態においては、後述する第１係止爪６ａおよび第２係止爪６ｂ）との、ボックス２の底壁２ａの背面に沿った並び方向１２に対し、交差する方向（図示実施の形態においては、直交する方向）を向く。
【００３１】
ここで、ボックス固定具３は、異なる間隔の一対の貫通孔２ｂ、２ｂに選択的に対応すべく、係止爪６として、第１係止爪６ａと第２係止爪６ｂとが、前記並び方向１２において、ずれた位置に設けられる。詳細には、一対の貫通孔２ｂ、２ｂとしての一対の第１貫通孔２０１、２０１と、その一対の第１貫通孔２０１、２０１の間隔よりも大きい間隔を成す、一対の貫通孔２ｂ、２ｂとしての一対の第２貫通孔２０２、２０２とに、選択的に対応すべく、前記螺着部５を共通にして、一対の第１貫通孔２０１、２０１のうち他の貫通孔２０１に挿入される前記係止爪６としての第１係止爪６ａが設けられるとともに、一対の第２貫通孔２０２、２０２のうち他の貫通孔２０２に挿入される前記係止爪６としての第２係止爪６ｂが、第１係止爪６ａよりも螺着部５から離れる側に延びる延設部７の先端側に設けられる。
【００３２】
また、固定部４は、棒状部材１の外面を、ボックス２の底壁２ａ側に押圧する押圧部４ａからなる。そこで、押圧部４ａは、螺着部５と第１係止爪６ａとの間に設けられる。そして、押圧部４ａとして、第１押圧部４ｂと第２押圧部４ｃとが、前記並び方向１２において、ずれた位置に設けられる。詳細には、押圧部４ａとしての第１押圧部４ｂは、前記並び方向１２において、螺着部５と第１係止爪６ａとの間の中心位置に設けられ、押圧部４ａとしての第２押圧部４ｃは、前記並び方向１２において、螺着部５と第２係止爪６ｂとの間の中心位置に設けられる。
【００３３】
また、ボックス固定具３は、第１係止爪６ａと第２係止爪６ｂとのそれぞれが、前記一対の貫通孔２ｂ、２ｂのうち他の貫通孔２ｂに挿入される第１位置と、ボックス２の底壁２ａから控える第２位置とに変位可能である。詳細には、延設部７には、第１係止爪６ａの変位を許容する空隙を備えた開口部７ａが形成されている。そして、第１係止爪６ａは、その塑性変形により（例えば、第１係止爪６ａの基端部分が塑性変形することで）、前記第１位置（図２の（ｂ）において、二点鎖線で示す）と前記第２位置（図２の（ｂ）において、実線で示す）とに変位する。一方、第２係止爪６ｂは、延設部７の塑性変形により（例えば、延設部７の基端部分（つまり、延設部７における、第１係止爪６ａの基端部分の脇となる箇所であり、開口部７ａの螺着部５側の端に並ぶ箇所）が塑性変形することで）、前記第１位置（図２の（ｂ）において、実線で示す）と前記第２位置（図２の（ｂ）において二点鎖線で示す）とに前記延設部７とともに変位する。
【００３４】
具体的には、ボックス固定具３は、全体が、例えば金属製の板材からなる。このボックス固定具３は、ボックス２の底壁２ａの背面に当接する基板部８と、その基板部８に対向する（詳しくは、基板部８に対向するとともに、その基板部８を通して底壁２ａに対向する）対向板部９と、それら基板部８と対向板部９とを一端側で繋ぐ連結板部１０とを備えて、略Ｕ字状に形成されている。そこで、このボックス固定具３は、連結板部１０が撓み変形可能なヒンジとして機能することにより、基板部８に対して対向板部９が接近離反可能となって、棒状部材１は、対向板部９の先端側から、その対向板部９と基板部８との間に受け入れられる。
【００３５】
基板部８には、連結板部１０に近い側に、前記螺着部材１１が通る通孔８ａがあけられ、対向板部９には、通孔８ａと対向する位置に、前記螺着部５が設けられている。そして、対向板部９に、前記押圧部４ａ（詳しくは、第１押圧部４ｂおよび第２押圧部４ｃ）が設けられる。詳細には、基板部８は、底板８ｂと、その底板８ｂの連結板部１０側において幅方向の両側から対向板部９側に向かって折れ曲がる側板８ｃ、８ｃとを有する。そして、対向板部９は、天板９ａと、その天板９ａの幅方向の両側から基板部８側に向かって折れ曲がる側板９ｂ、９ｂとを有し、その側板９ｂの先端側に、基板部８側（つまり、ボックス２の底壁２ａ側）を向くようにして、押圧部４ａとしての第１押圧部４ｂと第２押圧部４ｃとが、円弧状に窪むように設けられる。そこで、螺着部５に螺着部材１１をねじ込むことで、連結板部１０がヒンジとなって、対向板部９が、基板部８側（つまりは、ボックス２の底壁２ａ側）に引き寄せられて、押圧部４ａが棒状部材１を押圧する。そして、この押圧により、棒状部材１は、押圧部４ａと、基板部８（ひいては、ボックス２の底壁２ａ）とで挟持される。
【００３６】
そして、基板部８の先端から延びるように前記延設部７が設けられる。そこで、その延設部７に、前記開口部７ａが設けられ、基板部８の先端から開口部７ａ側に突出するようにして前記第１係止爪６ａが設けられる。そして、前記第２係止爪６ｂは、延設部７の先端から突出するようにして設けられる。
【００３７】
図示実施の形態においては、初期の状態では、延設部７は、ボックス２の底壁２ａの背面に沿うことができるように直状に延び、第１係止爪６ａは、前記第２位置に位置し、第２係止爪６ｂは、前記第１位置に位置する（図１と、図２の（ａ）と、図２の（ｂ）および図３の実線と、図４の（ｂ）参照）。そこで、図３に示すように、開口部７ａに差し入れられ、第１係止爪６ａと、第２係止爪６ｂまたは開口部７ａの周縁（図示実施の形態においては、開口部７ａの周縁）とに宛がわれて、第１係止爪６ａが前記第１位置側に、第２係止爪６ｂが前記第２位置側に向かうよう、回動操作される（詳しくは、図３において、時計回り方向に回動操作される）、棒状部、板状部等を備えた細長の工具１３によって、第１係止爪６ａが前記第１位置に変位するとともに、第２係止爪６ｂが第２位置に変位する（図２の（ｂ）および図３の二点鎖線と、図４の（ａ）参照）。
【００３８】
また、係止爪６（第１係止爪６ａ、第２係止爪６ｂ）は、鉤状に折れ曲がって形成され、その係止爪６は、ボックス２の底壁２ａに設けられた貫通孔２ｂに挿入されて、その先端が、底壁２ａの内面に対向（詳しくは、当接）する。
【００３９】
次に、第一の実施の形態に示すボックス固定具３の作用効果について説明する。このボックス固定具３によると、ボックス固定具３は、固定部４を備えており、その固定部４によって、棒状部材１に固定される。そして、ボックス固定具３は、ボックス２の底壁２ａに設けられた一対の貫通孔２ｂ、２ｂに対応した、螺着部５と係止爪６とを備えており、それら螺着部５と係止爪６とで、ボックス固定具自身が、ボックス２の底壁２ａの背面に固定される。こうして、ボックス２は、固定部４と螺着部５および係止爪６とを備えるボックス固定具３を介して、棒状部材１に固定される。
【００４０】
ここで、係止爪６として、第１係止爪６ａと第２係止爪６ｂとが設けられている。そこで、図４の（ａ）に示すように、ボックス２の一対の貫通孔２ｂ、２ｂとしての一対の第１貫通孔２０１、２０１の、一の貫通孔２０１と他の貫通孔２０１に対し、螺着部５と第１係止爪６ａとをそれぞれ対応させることで、ボックス固定具３をボックス２に固定して、そのボックス２を棒状部材１に固定することができる。そして、図４の（ｂ）に示すように、別のボックス２の、異なる間隔を成す（図示実施形態においては、一対の第１貫通孔２０１の間隔よりも大きい間隔を成す）一対の貫通孔２ｂ、２ｂとしての一対の第２貫通孔２０２、２０２の、一の貫通孔２０２と他の貫通孔２０２に対し、螺着部５と第２係止爪６ｂとをそれぞれ対応させることで、ボックス固定具３を別のボックス２に固定して、その別のボックス２を棒状部材１に固定することができる。
【００４１】
すなわち、このボックス固定具３によれば、螺着部５と係止爪６において、係止爪６を二つ設けて、その二つのうち、いずれか一方を適宜選択して用いることで、一つのボックス固定具３で、貫通孔２ｂ、２ｂの間隔の異なる二種類のボックス２に対応することができる。
【００４２】
また、固定部４は、棒状部材１の外面を、ボックス２の底壁２ａ側に押圧する押圧部４ａからなっている。この押圧部４ａとして、第１押圧部４ｂと第２押圧部４ｃとが設けられることで、状況に応じて、第１押圧部４ｂと第２押圧部４ｃとを使い分けて、棒状部材１に対するボックス２の位置を変えることができる。特に、第１押圧部４ｂが、螺着部５と第１係止爪６ａとの間の中心位置に設けられ、第２押圧部４ｃが、螺着部５と第２係止爪６ｂとの間の中心位置に設けられていることから、第１係止爪６ａを用いる場合には、第１押圧部４ｂを用い、第２係止爪６ｂを用いる場合には、第２押圧部４ｃを用いることで、螺着部５と係止爪６（第１係止爪６ａ、第２係止爪６ｂ）との中心位置、つまりは、ボックス２における一対の貫通孔２ｂ、２ｂ（第１貫通孔２０１、２０１、第２貫通孔２０２、２０２）の中心位置に、棒状部材１を位置させることができる。
【００４３】
また、係止爪６としての、第１係止爪６ａと第２係止爪６ｂとのそれぞれが、一対の貫通孔２ｂ、２ｂのうち他の貫通孔２ｂに挿入される第１位置とボックス２の底壁２ａから控える第２位置とに変位可能となっている。このため、ボックス固定具３をボックス２に固定するにあたって、使用しない係止爪６をボックス２の底壁２ａから控える第２位置に位置させることで、その係止爪６が固定の邪魔をすることがない。
【００４４】
図５は、本発明の第二の実施の形態を示す。この実施の形態は、第一の実施の形態とは、ボックス固定具３の形状が異なるが、機能としては同様であり、以下に、同様の部分には同一の符号を付して、異なる部分を主に説明する（図５は、第一の実施の形態の図４に相当する）。
【００４５】
ボックス固定具３は、全体が、例えば金属製の板材からなる。このボックス固定具３は、ボックス２の底壁２ａの背面に当接する基板部８と、その基板部８から一方側に延設されて、底壁２ａに対向する対向板部９とを備える。そこで、対向板部９に、螺着部５と、押圧部４ａ（固定部４）とが設けられる。詳細には、対向板部９における基板部８寄りの位置に、弧状に湾曲形成された押圧部４ａ（詳しくは、第１押圧部４ｂおよび第２押圧部４ｃ）が設けられる。そして、対向板部９の先端側が、ボックス２の底壁２ａに近接して延びて、その延びた部分に、螺着部５が設けられる。
【００４６】
そして、基板部８から、対向板部９とは反対側に延びるようにして延設部７が設けられる。そこで、その延設部７に、開口部７ａが設けられ、基板部８の先端から開口部７ａ側に突出するようにして係止爪６としての第１係止爪６ａが設けられる。そして、係止爪６としての第２係止爪６ｂは、延設部７の先端から突出するようにして設けられる。
【００４７】
この第二の実施の形態に示すボックス固定具３の作用効果は、第一の実施の形態と同様であるが、押圧部４ａに関しては、螺着部５に螺着部材１１をねじ込むと、対向板部９が、撓むようにして、ボックス２の底壁２ａ側に引き寄せられて、押圧部４ａが棒状部材１を押圧する。そして、この押圧により、棒状部材１は、押圧部４ａとボックス２の底壁２ａとで挟持される。
【００４８】
図６は、本発明の第三の実施の形態を示す。この実施の形態に示すボックス固定具３は、第二の実施の形態とは、螺着部５が二つ設けられ、係止爪６が一つである点が異なるが、他は同様であり、以下に、同様の部分には同一の符号を付して、異なる部分を主に説明する。
【００４９】
このボックス固定具３においては、ボックス２における異なる間隔の一対の貫通孔２ｂ、２ｂに選択的に対応すべく、螺着部５として、第１螺着部５ａと第２螺着部５ｂとが、螺着部５と係止爪６との、ボックス２の底壁２ａの背面に沿った並び方向１２において、ずれた位置に設けられる。そこで、押圧部４ａ（固定部４）としての第１押圧部４ｂが、前記並び方向１２において、第１螺着部５ａと係止爪６との間の中心位置に設けられ、押圧部４ａとしての第２押圧部４ｃが、前記並び方向１２において、第２螺着部５ｂと係止爪６との間の中心位置に設けられる。
【００５０】
この第三の実施の形態に示すボックス固定具３の作用効果は、第一の実施の形態とか、第二の実施の形態と同様であるが、係止爪６が一つであることから、係止爪６は、常に、ボックス２の底壁２ａに形成された貫通孔２ｂに挿入される第１位置にある。そして、螺着部５として、第１螺着部５ａと第２螺着部５ｂとが設けられている。そこで、図６の（ａ）に示すように、ボックス２の一対の貫通孔２ｂ、２ｂとしての一対の第１貫通孔２０１、２０１の、一の貫通孔２０１と他の貫通孔２０１に対し、第１螺着部５ａと係止爪６とをそれぞれ対応させることで、ボックス固定具３をボックス２に固定して、そのボックス２を棒状部材１に固定することができる。そして、図６の（ｂ）に示すように、別のボックス２の、異なる間隔を成す一対の貫通孔２ｂ、２ｂとしての一対の第２貫通孔２０２、２０２の、一の貫通孔２０２と他の貫通孔２０２に対し、第２螺着部５ｂと係止爪６とをそれぞれ対応させることで、ボックス固定具３を別のボックス２に固定して、その別のボックス２を棒状部材１に固定することができる。
【００５１】
すなわち、このボックス固定具３によれば、螺着部５と係止爪６において、螺着部５を二つ設けて、その二つのうち、いずれか一方を適宜選択して用いることで、一つのボックス固定具３で、貫通孔２ｂ、２ｂの間隔の異なる二種類のボックス２に対応することができる。
【００５２】
また、押圧部４ａとして、第１押圧部４ｂと第２押圧部４ｃとが設けられることで、状況に応じて、第１押圧部４ｂと第２押圧部４ｃとを使い分けて、棒状部材１に対するボックス２の位置を変えることができる。特に、第１押圧部４ｂが、第１螺着部５ａと係止爪６との間の中心位置に設けられ、第２押圧部４ｃが、第２螺着部５ｂと係止爪６との間の中心位置に設けられている。このため、第１螺着部５ａを用いる場合には、第１押圧部４ｂを用い、第２螺着部５ｂを用いる場合には、第２押圧部４ｃを用いることで、螺着部５（第１螺着部５ａ、第２螺着部５ｂ）と係止爪６との中心位置、つまりは、ボックス２における一対の貫通孔２ｂ、２ｂの中心位置に、棒状部材１を位置させることができる。
【００５３】
図７は、本発明の第四の実施の形態を示す。この実施の形態に示すボックス固定具３は、第二の実施の形態とは、螺着部５と係止爪６とのそれぞれが、二つ設けられ、押圧部４ａ（固定部４）が一つでる点が異なるが、他は同様であり、以下に、同様の部分には同一の符号を付して、異なる部分を主に説明する。
【００５４】
このボックス固定具３においては、ボックス２における異なる間隔の一対の貫通孔２ｂ、２ｂに選択的に対応すべく、螺着部５として、第１螺着部５ａと第２螺着部５ｂとが、螺着部５と係止爪６との、ボックス２の底壁２ａの背面に沿った並び方向１２において、ずれた位置に設けられるとともに、係止爪６として、第１係止爪６ａと第２係止爪６ｂとが、前記並び方向１２において、ずれた位置に設けられる。そこで、押圧部４ａが、前記並び方向１２において、第１螺着部５ａと第１係止爪６ａとの間の中心位置にあり、かつ、前記並び方向１２において、第２螺着部５ｂと第２係止爪６ｂとの間の中心位置にあるように、第１および第２螺着部５ａ、５ｂと、第１および第２係止爪６ａ、６ｂとが位置する。
【００５５】
この第四の実施の形態に示すボックス固定具３の作用効果は、第一の実施の形態とか、第二の実施の形態と同様であるが、螺着部５として、第１螺着部５ａと第２螺着部５ｂとが設けられ、係止爪６として、第１係止爪６ａと第２係止爪６ｂとが設けられている。そこで、ボックス２の異なる間隔の一対の貫通孔２ｂ、２ｂの、一の貫通孔２ｂと他の貫通孔２ｂに対し、螺着部５と係止爪６とを適宜選択してそれぞれ対応させることで、ボックス固定具３をボックス２に固定して、そのボックス２を棒状部材１に固定することができる。
【００５６】
すなわち、螺着部５と係止爪６において、螺着部５および係止爪６を二つ設けて、その二つのうち、いずれか一方を適宜選択して用いることで、一つのボックス固定具３で、貫通孔２ｂ、２ｂの間隔の異なる二種類以上のボックス２に対応することができる。
【００５７】
また、押圧部４ａが、第１螺着部５ａと第１係止爪６ａとの間の中心位置にあり、かつ、第２螺着部５ｂと第２係止爪６ｂとの間の中心位置にあるように、第１および第２螺着部５ａ、５ｂと、第１および第２係止爪６ａ、６ｂとが位置する。このため、図７の（ａ）に示すように、ボックス２の一対の貫通孔２ｂ、２ｂとしての一対の第１貫通孔２０１、２０１の、一の貫通孔２０１と他の貫通孔２０１に対し、第１螺着部５ａと第１係止爪６ａを用いたり、図７の（ｂ）に示すように、ボックス２の一対の貫通孔２ｂ、２ｂとしての一対の第２貫通孔２０２、２０２の、一の貫通孔２０２と他の貫通孔２０２に対し、第２螺着部５ｂと第２係止爪６ｂを用いたりすることで、螺着部５と係止爪６との中心位置、つまりは、ボックス２における一対の貫通孔２ｂ、２ｂの中心位置に、棒状部材１を位置させることができる。
【００５８】
なお、本発明は、上述した実施の形態に限定されるわけではなく、その他種々の変更が可能である。例えば、第１係止爪６ａは、その塑性変形により、第１位置と第２位置とに変位し、第２係止爪６ｂは、延設部７の塑性変形により、第１位置と第２位置とに延設部７とともに変位するが、図８および図９に示すように、第１係止爪６ａと第２係止爪６ｂとの両方が、それらの塑性変形により、第１位置と第２位置とに変位してもよい。そして、これらの図に示す例においては、延設部７は、直状に延びるのではなく、への字状に折れ曲がって延びている。
【００５９】
また、第一から第三の実施の形態においては、異なる間隔の一対の貫通孔２ｂ、２ｂに選択的に対応すべく、螺着部５と係止爪６とのいずれか一方が、二つ設けられているが、これに限らず、螺着部５および／または係止爪６は、二つ設けられるとともに、その二つは、螺着部５と係止爪６との、ボックス２の底壁２ａの背面に沿った並び方向１２において、ずれた位置に設けられてもよい。そして、この際、押圧部４ａ（固定部４）としての第１押圧部４ｂが、前記並び方向１２において、螺着部５と係止爪６のうちの最も近接した螺着部５と係止爪６との間の中心位置からずれた位置に設けられ、押圧部４ａとしての第２押圧部４ｃが、前記並び方向１２において、第１押圧部４ｂとは異なる位置に設けられてもよい。
【００６０】
このボックス固定具３の作用効果は、第一から第三の実施の形態と同様であるが、螺着部５および／または係止爪６は、二つ設けられている。そこで、ボックス２の異なる間隔の一対の貫通孔２ｂ、２ｂの、一の貫通孔２ｂと他の貫通孔２ｂに対し、螺着部５と係止爪６とを適宜選択してそれぞれ対応させることで、ボックス固定具３をボックス２に固定して、そのボックス２を棒状部材１に固定することができる。そして、押圧部４ａとして、第１押圧部４ｂと第２押圧部４ｃが設けられており、状況に応じて、第１押圧部４ｂと第２押圧部４ｃとを使い分けて、棒状部材１に対するボックス２の位置を変えることができる。すなわち、螺着部５と係止爪６において、螺着部５および／または係止爪６を二つ設けて、その二つのうち、いずれか一方を適宜選択して用いることで、一つのボックス固定具３で、貫通孔２ｂ、２ｂの間隔の異なる二種類あるいは二種類以上のボックス２に対応することができる。
【００６１】
また、一般に、押圧部４ａ（固定部４）は、二つ設けられなくても、一つであってもよい。すなわち、第二の実施の形態を例に説明すると、図１０に示すように、押圧部４ａとしての第１押圧部４ｂと第２押圧部４ｃのうち、例えば、第１押圧部４ｂを残し、第２押圧部４ｃを無くすなどして、押圧部４ａを一つとしてもよい（この図１０は、第二の実施の形態の図５に相当する）。
【００６２】
また、以上に示すように、押圧部４ａ（固定部４）は、一つでも、二つでもよく、その押圧部４ａは、螺着部５と係止爪６との間の中心位置に設けられても、その中心位置からずれた位置に設けられてもよい。
【００６３】
また、螺着部５は、雌ねじが形成された孔であっても、螺着部材１１をねじ込むことで、雌ねじが形成される孔であってもよく、また、孔の周囲が螺旋状に湾曲したものでも、螺着部材１１をねじ込むことで、孔の周囲が螺旋状に湾曲するものでもよく、さらには、孔に固定されたナット、あるいは別体のナットからなってもよい。
【００６４】
また、係止爪６は、鉤状に折れ曲がって形成され、ボックス２の底壁２ａに設けられた貫通孔２ｂに挿入されると、その先端が底壁２ａの内面に対向するが、鉤状に折れ曲がることなく、単に、貫通孔２ｂの内周面に係合するのみでもよい。
【００６５】
また、係止爪６が二つ設けられる場合、ボックス固定具３は、係止爪６が、ボックス２の底壁２ａに設けられた貫通孔２ｂに挿入される第１位置と、底壁２ａから控える第２位置とに変位可能であるが、その変位は、ボックス固定具３をボックス２の底壁２ａに固定する前に行ってもよく、また、初期状態では、両方の係止爪６、６を第１位置とし、固定にあたって、ボックス固定具３を底壁２ａに押し付けることで、使用しない方の係止爪６が第１位置から第２位置に変位してもよい。
【００６６】
また、係止爪６が二つ設けられる場合、ボックス固定具３は、係止爪６が、第１位置と第２位置とに変位可能とならなくとも、両方の係止爪６、６が、第１位置に位置して、使用しない方の係止爪６が、ボックス２の底壁２ａからはみ出た位置にあったり、ボックス２にあけられた逃がし孔内に位置したりして、その係止爪６が、ボックス２と干渉しないようにしてもよい。
【００６７】
また、押圧部４ａとか螺着部５とか係止爪６は、一つであったり、二つであったりするが、それに加えて、さらに、押圧部４ａとか螺着部５とか係止爪６が増設されてもよい。
【符号の説明】
【００６８】
１  棒状部材
２  ボックス
２ａ  底壁
２ｂ  貫通孔
２０１  第１貫通孔
２０２  第２貫通孔
３  ボックス固定具
４  固定部
４ａ  押圧部
４ｂ  第１押圧部
４ｃ  第２押圧部
５  螺着部
５ａ  第１螺着部
５ｂ  第２螺着部
６  係止爪
６ａ  第１係止爪
６ｂ  第２係止爪
７  延設部
７ａ  開口部
１１  螺着部材
１２  並び方向
１３  工具
【図１】
2020085113.tif 000003
【図２】
2020085113.tif 000004
【図３】
2020085113.tif 000005
【図４】
2020085113.tif 000006
【図５】
2020085113.tif 000007
【図６】
2020085113.tif 000008
【図７】
2020085113.tif 000009
【図８】
2020085113.tif 000010
【図９】
2020085113.tif 000011
【図１０】
2020085113.tif 000012